(57)【特許請求の範囲】
【請求項１】
絞り弁本体を貫通する吸気路を横断して絞り弁軸が回転自在に支承され、該絞り弁軸に吸気路を開閉する絞り弁が取着され、
絞り弁軸の端部に、絞り弁リターンスプリングによって絞り弁閉方向の弾性力が付与される絞り弁レバーが固着されるとともに該絞り弁レバーに、運転者によって操作される開弁用ワイヤーと閉弁用ワイヤーとが係止される強制開閉型絞り弁装置において、
絞り弁軸（３）の軸心（Ｃ）を中心として回転自在に配置されるとともに電磁アクチュエータ（Ｅ）の出力杆（ＥＡ）に係合配置される操作レバー（１１）と、
絞り弁レバー（６）と操作レバー（１１）との間に配置され、絞り弁リターンスプリング（７）のバネ力より強いバネ力を有する伝達スプリング（１０）と、を備え、
電磁アクチュエータ（Ｅ）の駆動時において、操作レバー（１１）の回転を、伝達スプリング（１０）を介して絞り弁レバー（６）に伝達することにより絞り弁（４）の開度を、アイドリング開度より一定開度開放されたアイドルアップ開度に開放し、
一方、前記アイドルアップ開度時において、運転者が閉弁用ワイヤー（３３）を操作することにより強制閉塞力が絞り弁レバー（６）に付与された際、伝達スプリング（１０）のバネ力に抗して絞り弁レバー（６）が閉方向に回転し、絞り弁（４）がアイドリング開度位置に復帰することを特徴とする強制開閉型絞り弁装置。
【請求項２】
絞り弁本体を貫通する吸気路を横断して絞り弁軸が回転自在に支承され、該絞り弁軸に吸気路を開閉する絞り弁が取着され、
絞り弁軸の端部に、絞り弁リターンスプリングによって絞り弁閉方向の弾性力が付与される絞り弁レバーが固着されるとともに該絞り弁レバーに、運転者によって操作される開弁用ワイヤーと閉弁用ワイヤーとが係止される強制開閉型絞り弁装置において、
操作レバー（１１）は、絞り弁軸（３）の軸心（Ｃ）を中心として回転自在に配置されるとともに絞り弁（４）の開方向側において絞り弁レバー（６）の当接部（６Ｐ）に当接する当接部（１１Ｂ）と、を備え、
前記操作レバーは、出力杆（ＥＡ）と操作レバー（１１）との間に縮設され、絞り弁リターンスプリング（７）のバネ力より強いバネ力を有する伝達スプリング（１３）によって弾性的に出力杆（ＥＡ）に接続され、
電磁アクチュエータ（Ｅ）の駆動時、出力杆（ＥＡ）の移動を伝達スプリング（１３）を介して操作レバー（１１）に伝達して絞り弁レバー（６）を回転させることにより、絞り弁（４）をアイドリング開度より一定開度開放されたアイドルアップ開度に開放し、
一方、前記アイドルアップ開度時において、運転者が閉弁用ワイヤー（３３）を操作することにより強制閉塞力が絞り弁レバー（６）に付与された際、伝達スプリング（１３）のバネ力に抗して操作レバー（１１）が閉方向に回転し、絞り弁（４）がアイドリング開度位置に復帰することを特徴とする強制開閉型絞り弁装置。
【発明の詳細な説明】
【０００１】
【産業上の利用分野】
本発明は、機関へ向かう空気量を調整する絞り弁装置に関するもので、そのうち特に絞り弁が開弁用ワイヤーと閉弁用ワイヤーとによって強制的に開閉される強制開閉型の絞り弁装置に関する。
【０００２】
【従来の技術】
従来の強制開閉型絞り弁装置は図３に示される。
図３により説明すると、
１は内部を吸気路２が貫通する絞り弁本体であり、吸気路２は、吸気路２を横断して絞り弁本体１に回転自在に支承される絞り弁軸３に取着された絞り弁４によって開閉される。
２０は、絞り弁軸３の端部に固着配置された絞り弁レバーであり、絞り弁レバー２０には外方に向かって開口する二又状の伝達溝２０Ａと外方へのびる第１片部２０Ｂとが形成される。
３０は、絞り弁軸３と同芯であって且つ絞り弁軸３の外周に回転自在に配置されるスロットルドラムである。
スロットルドラム３０は、絞り弁リターンスプリング（図示せず）によって絞り弁閉方向（図３において時計方向）の回転力が付与されるとともに絞り弁４の最低開度を調整するストップスクリュー３１に当接する第２片部３０Ａと、絞り弁レバー２０の伝達溝２０Ａ内に挿入配置される伝達杆３０Ｂとを備える。
更にスロットルドラム３０には運転者によって操作される開弁用ワイヤー３２と閉弁用ワイヤー３３とが係止される。
４０は操作レバーであり、絞り弁軸３と同芯であって且つ絞り弁軸３の外周に回転自在に配置される。
操作レバー４０には、絞り弁レバー２０の第１片部２０Ｂに、絞り弁開方向において押圧接触して当接する第３片部４０Ａが設けられるとともに大きく外方にのびる第４片部４０Ｂが電磁アクチュエータＥの出力杆ＥＡの端部に挟持される。電磁アクチュエータＥは例えばステップモータであり、ステップモータＥは例えば冷却水温度、大気温度等の温度を感知する温度センサー（図示せず）からの信号がＥＣＵに入力され、ＥＣＵからの出力信号によってステップモータが駆動されて出力杆ＥＡが伸縮動作する。尚、電磁アクチュエータは電気信号を受けて変位するものならステップモータに限定されないもので比例ソレノイドであってもよい。又、前記スロットルドラムの伝達杆３０Ｂは絞り弁レバー２０の伝達溝２０Ａ内に挿入され、更に絞り弁レバー２０には、絞り弁閉方向のバネ力が絞り弁リターンスプリング（図示せず）によって付与される。従って絞り弁レバー２０の伝達溝２０Ａの一側面２０Ｃが常に伝達杆３０Ｂに付勢されて当接され、伝達杆３０Ｂと伝達溝２０Ａの他側面２０Ｄとの間には間隙Ｓが形成される。
【０００３】
かかる従来の強制開閉型絞り弁装置によると、機関の冷却水温度、雰囲気温度が設定された温度以上の状態において、機関のアイドリング開度は以下によって決定される。スロットルドラム３０の第２片部３０Ａは、ストップスクリュー３１に当接した状態にあり、このとき絞り弁レバー２０の伝達溝２０Ａの一側面２０Ｃはスロットルドラム３０の伝達杆３０Ｂの左側面に当接されて位置決めされ、これによって絞り弁４のアイドリング開度が決定される。この状態は図３に示される。
尚、かかる温度状態において、電磁アクチュエータは何等動作するものでなく、原位置状態にあり、操作レバー４０が回転して操作レバー４０の第３片部４０Ａが絞り弁レバー２０の第１片部２０Ｂを押圧して回転移動させることがない。
そして開弁用ワイヤー３２を運転者が操作してスロットルドラム３０を反時計方向に回転すると、第２片部３０Ａがストップスクリュー３１より離れるとともに伝達杆３０Ｂが伝達溝２０Ａの一側面２０Ｃを押圧して絞り弁レバー２０を同時に反時計方向へ回転し、これによって絞り弁４を所望の開度に開放できる。
尚、前記絞り弁レバー２０の反時計方向回転時において、絞り弁レバー２０の第１片部２０Ｂは操作レバー４０の第３片部４０Ａより離れるので前記絞り弁レバー２０の反時計方向回転を阻害することがない。
【０００４】
一方、前記絞り弁の開放状態において、閉弁用ワイヤー３３を運転者が操作してスロットルドラム３０を時計方向に回転すると、伝達杆３０Ｂもまた時計方向に回転するもので、これによると絞り弁レバー２０は、絞り弁リターンスプリングによる閉方向付勢力を受けること。から時計方向に回転し、これによって絞り弁４は所望の開度に閉塞される。この時絞り弁レバー２０はリターンスプリングによる閉方向の付勢力を受けることから、伝達杆３０Ｂは、伝達溝２０Ａの一側面２０Ｃと当接した状態を保って回転する。
尚、前記絞り弁レバー２０の時計方向回転時において、操作レバー４０の第３片部４０Ａは原位置状態にあるので、前記回転を阻害することがない。
【０００５】
そして、図３に示された絞り弁４のアイドリング開度を一定開度開放するアイドルアップ開度は以下によって行なわれる。
このアイドルアップ開度は、機関の冷態始動時あるいはエアコン運転時等において、空気量を正規のアイドリング運転状態より増量する際に必要となる。
電磁アクチュエータＥは、冷却水温度、エアコン運転状態を感知するセンサーからの信号によるＥＣＵからの出力信号によって駆動され、出力杆ＥＡは図３において右方に向かって伸長する。
かかる出力杆ＥＡの移動は、第４片部４０Ｂを介して操作レバー４０に伝達されるもので、操作レバー４０は、出力杆ＥＡの移動量に応じて絞り弁軸３の軸芯Ｃを中心として反時計方向へ回転する。
そして、この操作レバー４０の反時計方向の回転は、第３片部４０Ａから絞り弁レバー２０の第１片部２０Ｂに伝達され、絞り弁レバー２０を反時計方向へ回転させるもので、これによってアイドリング開度状態にある絞り弁４を一定開度開放したアイドルアップ開度を得ることができる。この時スロットルドラム３０は第２片部３０Ａがストップスクリュー３１と当接した状態で、伝達杆３０Ｂと絞り弁レバー２０の一側面２０Ｃとの間に間隙が形成される。
【０００６】
そしてＥＣＵからの出力信号が停止されて出力杆ＥＡが原位置に復帰すると、この出力杆ＥＡの移動によって操作レバー４０は時計方向へ回転し、操作レバー４０の第３片部４０Ａによる絞り弁レバー２０の第１片部２０Ｂに対する押圧が解除されるので、絞り弁レバー２０は絞り弁リターンスプリングによって時計方向へ回転され、再び正規のアイドリング開度に復帰される。
【０００７】
【発明が解決しようとする課題】
かかる従来の強制開閉型絞り弁装置によると、電磁アクチュエータＥが動作したアイドルアップ開度において、運転者の意志によって正規のアイドリング開度に復帰させることが困難である。
すなわち、かかるアイドルアップ開度において、電磁アクチュエータＥの出力杆ＥＡと操作レバー４０の第４片部４０Ｂ及び操作レバー４０の第３片部４０Ａと絞り弁レバー２０の第１片部２０Ｂは共に当接固定状態にあり、スロットルドラム３０は第２片部３０Ａがストップスクリュー３１に当接している。かかる状態において閉弁用ワイヤー３３を操作してスロットルドラム３０を時計方向へ回転することはできない。
仮に閉弁用ワイヤー３３に強大な荷重を加えたとすれば、前記各当接固定部が損傷する恐れがある。
【０００８】
本発明は前記不具合に鑑みなされたもので、電磁アクチュエータによるアイドルアップ開度等のように絞り弁が所定開度開放保持された状態において運転者の意志によって運転者が所望の絞り弁開度に容易に復帰させることのできる強制開閉型絞り弁装置を提供することを第１の目的とする。
【０００９】
【課題を達成する為の手段】
本発明になる強制開閉型絞り弁装置は前記目的達成の為に、絞り弁本体を貫通する吸気路を横断して絞り弁軸が回転自在に支承され、該絞り弁軸に吸気路を開閉する絞り弁が取着され、
絞り弁軸の端部に、絞り弁リターンスプリングによって絞り弁閉方向の弾性力が付与される絞り弁レバーが固着されるとともに該絞り弁レバーに、運転者によって操作される開弁用ワイヤーと閉弁用ワイヤーとが係止される強制開閉型絞り弁装置において、
絞り弁軸の軸心を中心として回転自在に配置されるとともに電磁アクチュエータの出力杆に係合配置される操作レバーと、
絞り弁レバーと操作レバーとの間に配置され、絞り弁リターンスプリングのバネ力より強いバネ力を有する伝達スプリングと、を備え、
電磁アクチュエータの駆動時において、操作レバーの回転を、伝達スプリングを介して絞り弁レバーに伝達することにより絞り弁の開度を、アイドリング開度より一定開度開放されたアイドルアップ開度に開放し、
一方、前記アイドルアップ開度時において、運転者が閉弁用ワイヤーを操作することにより強制閉塞力が絞り弁レバーに付与された際、伝達スプリングのバネ力に抗して絞り弁レバーが閉方向に回転し、絞り弁がアイドリング開度位置に復帰することを第１の特徴とする。
【００１０】
又、本発明は、絞り弁本体を貫通する吸気路を横断して絞り弁軸が回転自在に支承され、該絞り弁軸に吸気路を開閉する絞り弁が取着され、
絞り弁軸の端部に、絞り弁リターンスプリングによって絞り弁閉方向の弾性力が付与される絞り弁レバーが固着されるとともに該絞り弁レバーに、運転者によって操作される開弁用ワイヤーと閉弁用ワイヤーとが係止される強制開閉型絞り弁装置において、
操作レバーは、絞り弁軸の軸心を中心として回転自在に配置されるとともに絞り弁の開方向側において絞り弁レバーの当接部に当接する当接部と、を備え、
前記操作レバーは、出力杆と操作レバーとの間に縮設され、絞り弁リターンスプリングのバネ力より強いバネ力を有する伝達スプリングによって弾性的に出力杆に接続され、
電磁アクチュエータの駆動時、出力杆の移動を伝達スプリングを介して操作レバーに伝達して絞り弁レバーを回転させることにより、絞り弁をアイドリング開度より一定開度開放されたアイドルアップ開度に開放し、
一方、前記アイドルアップ開度時において、運転者が閉弁用ワイヤーを操作することにより強制閉塞力が絞り弁レバーに付与された際、伝達スプリングのバネ力に抗して操作レバーが閉方向に回転し、絞り弁がアイドリング開度位置に復帰することを第２の特徴とする。
【００１１】
【作用】
本発明の第１の特徴によると、電磁アクチュエータの非駆動時であって且つ開弁用ワイヤー、閉弁用ワイヤーが運転者によって操作されない状態において、絞り弁レバーはストップスクリューに当接して保持され、絞り弁のアイドリング開度が保持される。
又、電磁アクチュエータが駆動されると、操作レバーが出力杆によって回転され、この操作レバーの回転が伝達スプリングを介して絞り弁レバーに伝達され、絞り弁は電磁アクチュエータの出力杆の移動に応じて回転し、アイドリング開度より一定開度開放されたアイドルアップ開度がえられる。
そして、絞り弁がかかるアイドルアップ開度に開放保持された状態において、閉弁用ワイヤーが運転者により機械的に操作されると絞り弁レバーは伝達スプリングのバネ力に抗して伝達スプリングを圧縮し、これによって絞り弁レバーを閉方向に回転することができ、絞り弁をアイドリング開度に向けて閉塞できる。
【００１２】
本発明の第２の特徴によると、電磁アクチュエータの非駆動時であって、且つ開弁用ワイヤー、閉弁用ワイヤーが運転者によって操作されない状態において、絞り弁レバーはストップスクリューに当接して保持され、絞り弁はアイドリング開度に保持される。
又、電磁アクチュエータが駆動されると、操作レバーは、出力杆、伝達スプリングによって押圧されて回転し、この操作レバーの回転が絞り弁レバーへと伝達され、絞り弁は電磁アクチュエータの出力杆の移動に応じて回転し、アイドリング開度より一定開度開放されたアイドルアップ開度がえられる。
そして、絞り弁がアイドルアップ開度に開放保持された状態において、閉弁用ワイヤーが運転者により機械的に操作されると、絞り弁レバーは伝達スプリングのバネ力に抗して操作レバーを回転させることにより絞り弁レバーの回転が許容され、これによって絞り弁をアイドリング開度に向けて閉塞できる。
【００１３】
【実施例】
以下、本発明になる強制開閉型絞り弁装置の一実施例を図１により説明する。
尚、図３と同一構造部分は、同一符号を使用して説明を省略する。
６は絞り弁軸３の端部に固着配置された絞り弁レバーであり、該絞り弁レバーには、絞り弁本体１に螺着配置されたストップスクリュー３１に臨む係止部６Ａと伝達杆支持部６Ｂとが設けられ、更に開弁用ワイヤー３２と、閉弁用ワイヤー３３とが係止される。尚絞り弁レバー６には、絞り弁４を閉方向に付勢する絞り弁リターンスプリング７が係止され、これによって絞り弁レバー６は常に時計方向のバネ力が付与される。
開弁用ワイヤー３２を運転者が操作すると絞り弁レバー６は図において反時計方向へ回転して絞り弁４が開放され、閉弁用ワイヤー３３を運転者が操作すると絞り弁レバー６は時計方向へ回転して絞り弁４が閉塞される。
伝達杆支持部６Ｂには、絞り弁軸３の略接線方向Ｘ−Ｘに沿って支持孔６Ｃが貫通して穿設され、この支持孔６Ｃには該支持孔内を軸方向に移動しうる伝達杆８が挿入配置される。
伝達杆８はその両端に下方鍔部９Ａと上方鍔部９Ｂとを備え、下方鍔部９Ａは伝達杆支持部６Ｂの下面６Ｄに臨んで配置され、上方鍔部９Ｂは伝達杆支持部６Ｂの上面６Ｅに臨んで配置される。
１０は、伝達スプリングであり、一端が伝達杆支持部６Ｂの上面６Ｅに配置され、他端が上方鍔部９Ｂに配置される。
以上によると、伝達杆８は、伝達スプリング１０によって斜め上方に弾性的に付勢されるもので、下方鍔部９Ａが伝達杆支持部６Ｂの下面６Ｄに当接した状態で伝達杆８の上方突出位置が決定される。
尚、伝達スプリング１０のバネ力は絞り弁リターンスプリング７のバネ力より強く設定する必要がある。
【００１４】
１１は操作レバーであり、絞り弁軸３の軸芯Ｃを中心として回転自在に配置される。
操作レバー１１には下方に延びる接続片部１１Ａと側方に延びる当接部１１Ｂとが形成され、接続片部１１Ａは電磁アクチュエータＥの出力杆ＥＡに挟持されて接続され、当接部１１Ｂは伝達杆８の上端に臨んで配置される。
【００１５】
次にその作用について説明する。
機関の冷却水温度、雰囲気温度が設定された温度以上の状態において、電磁アクチュエータＥは何等作動することがなく機関のアイドリング開度は以下によって決定される。
絞り弁レバー６は絞り弁リターンスプリング７のバネ力によって図において反時計方向へ付勢され係止部６Ａがストップスクリュー３１に当接することによって絞り弁レバー６の位置が決定され、これによって絞り弁４のアイドリング開度が決定される。（図１に示される）このとき操作レバー１１の当接部１１Ｂと伝達杆１０の上端との間には間隙が存在することが望ましい。
そして開弁用ワイヤー３２を運転者が操作して絞り弁レバー６を絞り弁リターンスプリング７のバネ力に抗して反時計方向へ回転すると、係止部６Ａはストップスクリュー３１より離れ、伝達杆８もまた操作レバー１１の当接部１１Ｂより離れるので、絞り弁レバー６の反時計方向への回転は何等阻害されるものでなく、絞り弁４は絞り弁レバー６の反時計方向への回転に応じて吸気路２を開放する。一方、前記絞り弁４の開放状態から閉弁用ワイヤー３３を運転者が操作して絞り弁レバー６を時計方向へ回転すると該回転をストップスクリュー３１、操作レバー１１の当接部１１Ｂが何等規制することがなく、これによって絞り弁４を所望の開度に閉塞できる。
【００１６】
そして、図１に示された絞り弁４のアイドリング開度を開弁用ワイヤー３２を操作することなく更に一定開度開放するアイドルアップ開度は以下によって行なわれる。
ＥＣＵからの出力信号によって電磁アクチュエータＥが駆動して出力杆ＥＡが右方へのびると、出力杆ＥＡの移動は、接続片部１１Ａを介して操作レバー１１に伝達されるもので、操作レバー１１は、出力杆ＥＡの移動量に応じて絞り弁軸３の軸芯Ｃを中心として反時計方向へ回転する。
そして、この操作レバー１１の反時計方向の回転は、当接部１１Ｂから伝達杆８、絞り弁リターンスプリング７のバネ力より強いバネ力を有する伝達スプリング１０に伝達され、絞り弁レバー６を反時計方向へ回転させるもので、これによってアイドリング開度にある絞り弁４を一定開度開放したアイドルアップ開度を得ることができる。
そしてＥＣＵからの出力信号が停止されて出力杆ＥＡが原位置に復帰すると、この出力杆ＥＡの移動によって操作レバー１１は時計方向へ回転し、操作レバー１１の当接部１１Ｂによる絞り弁レバー６の伝達杆８、伝達杆スプリング１０に対する押圧が解除されるので、絞り弁レバー６は絞り弁リターンスプリング７によって時計方向へ回転され、絞り弁レバー６の係止部６Ａがストップスクリュー３１に当接して再び正規のアイドリング開度に復帰される。
【００１７】
ここで、前記電磁アクチュエータＥが駆動して、絞り弁４の開度がアイドルアップ開度において、運転者が閉弁用ワイヤー３３を操作して絞り弁４を運転者の意志によってアイドリング開度へ強制的に戻す際について説明する。
電磁アクチュエータＥの出力杆ＥＡは図１において右方へ伸長して操作レバー１１を反時計方向へ回転させ、この回転に応じて絞り弁レバー６を反時計方向へ回転させ、もって絞り弁４をアイドリング開度より一定開度開放してアイドルアップ開度を得る。
そして、かかる状態において、運転者が閉弁用ワイヤー３３を操作して絞り弁レバー６に強制的に時計方向の回転力を付与すると、絞り弁レバー６の時計方向の回転力は伝達杆支持部６Ｂの上面６Ｅから伝達スプリング１０に作用し、伝達杆スプリング１０が圧縮されて収縮することによって前記絞り弁レバー６の時計方向の回転が許容され、もって絞り弁４を閉弁用ワイヤー３３の操作に応じてアイドリング開度へ強制的に復帰させることができる。
ここで重要なことは、伝達スプリング１０の設定バネ力であって、このバネ力は絞り弁リターンスプリング７のバネ力より強く、電磁アクチュエータＥの動作時において（操作レバー１１の当接部１１Ｂが伝達杆８の上端に当接した固定状態）開弁用ワイヤー３２の操作力より弱く設定される。
仮に電磁アクチュエータＥの動作時において、伝達スプリング１０の設定バネ力を開弁用ワイヤー３２の操作力より強く設定されると過大な押圧力が電磁アクチュエータＥに加わることになり、本願発明の目的を達成できない。
【００１８】
次に図２により本発明の他の実施例について説明する。
図１と相違する部分について説明し、同一構造部分は同一符号を使用する。
絞り弁レバー６は、図１に示される伝達杆及び伝達杆スプリングを備えるものでなく、絞り弁レバー６と操作レバー１１とは、絞り弁レバーの当接部６Ｐと操作レバー１１の当接部１１Ｂが当接する。
又、絞り弁リターンスプリング７は、絞り弁レバー６に一端が係止され、絞り弁レバー６に対して絞り弁閉方向のバネ力を付勢する。
そして、絞り弁閉塞側吸収機構Ｐは、以下によって形成される。
１１Ｃは、操作レバー１１の接続片部１１Ａの端部に設けられた案内孔であり、この案内孔１１Ｃは、電磁アクチュエータＥの出力杆ＥＡの固定端部ＥＢと、電磁アクチュエータＥ側の中間段部ＥＣとの間の出力杆ＥＤに挿入され、操作レバー１１を出力杆ＥＤに摺動案内する。（尚本実施例において固定端部ＥＢと中間段部ＥＣはワッシャーによって形成される）
又、案内孔１１Ｃは円形孔、Ｕ形孔が用いられる。
１２Ａは接続片部１１Ａの右側面に臨んで出力杆ＥＢの外周に配置された第１カラーであり、１２Ｂは接続片部１１Ａの左側面に臨んで出力杆ＥＢの外周に配置された第２カラーである。
１３は伝達スプリングであり、出力杆ＥＡの外周にあって且つ中間段部ＥＣと接続片部１１Ａの左側面との間に縮設される。
本実施例では中間段部ＥＣと第２カラー１２Ｂとの間に縮設された。
以上によれば、操作レバー１１の接続片部１１Ａは伝達スプリング１３のバネ力によって固定端部ＥＢに向けて押圧保持されるもので、この操作レバー１１の固定端部ＥＢ側への押圧方向は電磁アクチュエータＥの出力杆ＥＡの絞り弁４に対する開方向作動側である。
ここで特に重要なことは、伝達スプリング１３のバネ力を絞り弁リターンスプリング７のバネ力より強く設定することである。
【００１９】
次にその作用について説明する。
機関の冷却水温度、雰囲気温度が設定された温度以上の状態において、電磁アクチュエータＥは何等作動することがなく機関のアイドリング開度は以下によって決定される。
絞り弁レバー６は絞り弁リターンスプリング７のバネ力によって図において反時計方向へ付勢され係止部６Ａがストップスクリュー３１に当接することによって絞り弁レバー６の位置が決定され、これによって絞り弁４のアイドリング開度が決定される。（図２に示される）このとき操作レバー６の当接部６Ｐと操作レバー１１の当接部１１Ｂとの間には間隙が存在することが望ましい。
そして開弁用ワイヤー３２を運転者が操作して絞り弁レバー６を絞り弁リターンスプリング７のバネ力に抗して反時計方向へ回転すると、係止部６Ａはストップスクリュー３１より離れ、当接部６Ｐもまた操作レバー１１の当接部１１Ｂより離れるので、絞り弁レバー６の反時計方向への回転は何等阻害されるものでなく、絞り弁４は絞り弁レバー６の反時計方向への回転に応じて吸気路２を開放する。
一方、前記絞り弁４の開放状態から閉弁用ワイヤー３３を運転者が操作して絞り弁レバー６を時計方向へ回転すると該回転をストップスクリュー３１、操作レバー１１の当接部１１Ｂが何等規制することがなく、これによって絞り弁４を所望の開度に閉塞できる。
【００２０】
そして、図２に示された絞り弁４のアイドリング開度を開弁用ワイヤー３２を操作することなく更に一定開度開放するアイドルアップ開度は以下によって行なわれる。
ＥＣＵからの出力信号によって電磁アクチュエータＥが駆動して出力杆ＥＡが右方へのびると、出力杆ＥＡの移動は、接続片部１１Ａを介して操作レバー１１に伝達されるもので、操作レバー１１は、出力杆ＥＡの移動量に応じて絞り弁軸３の軸芯Ｃを中心として反時計方向へ回転する。前記出力杆ＥＡの移動を操作レバー１１に伝達できるのは、操作レバー１１の接続片部１１Ａを固定端部ＥＢと中間段部ＥＣとの間に伝達スプリング１３によって絞り弁開方向側に挟持し、且つ伝達スプリング１３のバネ力を絞り弁リターンスプリング７のバネ力より強く設定したことによる。
そして、この操作レバー１１の反時計方向の回転は、当接部１１Ｂから絞り弁レバー６の当接部６Ｐへ伝達され絞り弁リターンスプリング７の閉方向側付勢力に打ち勝って絞り弁レバー６を反時計方向へ回転させるもので、これによってアイドリング開度状態にある絞り弁４を一定開度開放したアイドルアップ開度を得ることができる。そしてＥＣＵからの出力信号が停止されて出力杆ＥＡが原位置に復帰すると、この出力杆ＥＡの図において左方への移動によって操作レバー１１は時計方向へ回転し、操作レバー１１の当接部１１Ｂによる絞り弁レバー６の当接部６Ｐに対する押圧が解除されるもので、絞り弁レバー６は絞り弁リターンスプリング７によって時計方向へ回転され、絞り弁レバー６の係止部６Ａがストップスクリュー３１に当接して再び正規のアイドリング開度に復帰される。
【００２１】
ここで、前記電磁アクチュエータＥが駆動して、絞り弁４の開度がアイドルアップ開度において、運転者が閉弁用ワイヤー３３を操作して絞り弁４を運転者の意志によってアイドリング開度へ強制的に戻す際について説明する。
かかる原位置状態において、電磁アクチュエータＥの出力杆ＥＡは図２において右方へ伸長して操作レバー１１を反時計方向へ回転させ、この回転に応じて絞り弁レバー６を反時計方向へ回転させ、もって絞り弁４をアイドリング開度より一定開度開放してアイドルアップ開度を得る。
そして、かかる状態において、運転者が閉弁用ワイヤー３３を操作して絞り弁レバー６に強制的に時計方向の回転力を付与すると、絞り弁レバー６の時計方向の回転力は当接部６Ｐの回転力は絞り弁レバー６の当接部６Ｐから操作レバー１１の当接部１１Ｂに作用し、操作レバー１１の接続片部１１Ａが伝達スプリング１３を圧縮して収縮させ、接続片部１１Ａを時計方向へ回転させることにより絞り弁レバー６の時計方向の回転が許容され、もって絞り弁４を閉弁用ワイヤー３３の操作に応じてアイドリング開度へ強制的に復帰させることができる。
【００２２】
実施例においては電磁アクチュエータにより絞り弁を所定開度開放保持するものに関して説明したが、本件発明は電磁アクチュエータの作動方向と操作レバーの回転方向とを逆転させ、電磁アクチュエータにより絞り弁を所定開度閉塞保持するもの、例えば車輪のスリップを検出して絞り弁開度を所定開度閉塞保持するトラクションコントロールシステム等に適用することも可能である。
【００２３】
【発明の効果】
以上の如く、本発明になる強制開閉型絞り弁装置によると、電磁アクチュエータによるアイドルアップ開度において、運転者が閉弁用ワイヤーを操作することにより、その自由意志により絞り弁を正規のアイドリング開度に復帰させることができる。
又、絞り弁操作部分は、絞り弁レバーと操作レバーとにより形成されるので構造が簡略化されるとともに製造コストを低減する上で効果的である。
【００２４】
又、絞り弁レバーに設けられ、絞り弁軸の略接線方向に沿って移動自在に配置されるとともに絞り弁リターンスプリングのバネ力より強い伝達スプリングによって設定位置に押圧される伝達杆を、あらかじめ絞り弁レバーに配置することができ組立性を向上でき、もって製造コストの低減を達成できる。
【００２５】
又、操作レバーを出力杆の固定端部と中間段部との間に摺動案内する操作レバーに設けた案内孔と、出力杆の中間段部と操作レバーとの間に縮設され、絞り弁リターンスプリングのバネ力より強いバネ力を有し、出力杆の開方向作動側にあって、操作レバーを出力杆の固定端部に向けて押圧する伝達スプリングと、により形成したことによると、絞り弁本体を側方に複数個配置する多連型において、隣接する絞り弁本体の連装ピッチを短くする上で効果的であり、特に自動二輪車の如く、横幅が制限を受けるものにおいて効果的である。
【図面の簡単な説明】
【図１】  本発明になる強制開閉型絞り弁装置の一実施例を示す要部側面図。
【図２】  本発明になる強制開閉型絞り弁装置の他の実施例を示す要部側面図。
【図３】  従来の強制開閉型絞り弁装置を示す要部側面図。
【符号の説明】
３        絞り弁軸
４        絞り弁
６        絞り弁レバー
８        伝達杆
１０      伝達スプリング
１１      操作レバー
【図１】
0004214298.tif 000002
【図２】
0004214298.tif 000003
【図３】
0004214298.tif 000004